(57)【要約】【課題】本発明の目的は、誤操作によってコードを変更してしまうことがなく、正確に成分量を計算して表示できる計測表示装置を提供することにある。【解決手段】計測表示装置１０を、ディスプレイ１００と、ディスプレイ１００が取り付けられた筐体１０２と、検量線データ１０４を記憶する検量線データ記憶媒体１０６と、出力条件設定画面Ｃを表示する設定釦１０８と、設定したコードを記憶するコード記憶媒体１１０と、バイオセンサ１６の電極４２の一端が接続される端子１１２と、電極４２ａ間に生じる電流を検知する検知器１１４と、検知した電流値、及び設定したコードに対応する検量線データ１０４に基づいて成分量を計算する演算処理ユニット１１６と、を備えて構成した。【選択図】図１
2012185059.tif 000002
【特許請求の範囲】
【請求項１】
検量線の異なる複数の種類のバイオセンサを取り付けることが可能であり、該バイオセンサの供給口から導入された検体の基質の成分量を計測してディスプレイに表示する計測表示装置であって、
前記ディスプレイと、
前記ディスプレイが取り付けられた筐体と、
前記複数の種類のバイオセンサの各種類に対応する検量線データを記憶する検量線データ記憶媒体と、
前記ディスプレイの出力条件を設定する出力条件設定画面を、該ディスプレイに表示させるとともに、該出力条件設定画面を表示する状態において、取り付けるバイオセンサの種類に対応するコードを設定するコード設定画面を、該ディスプレイに表示させる表示設定釦と、
前記設定したコードを記憶するコード記憶媒体と、
前記バイオセンサの電極の一端が接続される端子と、
前記電極間に生じる電流を検知する検知器と、
検知した電流値、及び設定したコードに対応する検量線データに基づいて前記成分量を計算する演算処理ユニットと、
を備えた計測表示装置。
【請求項２】
前記設定釦の長押し又は複数の設定釦の同時押しにより、前記コード設定画面を表示する請求項１に記載する計測表示装置。
【請求項３】
前記コード設定画面が、最初に表示されコードの変更に同意する同意画面と、該同意画面において同意表示部を選択することにより表示されるコード入力画面とから成る請求項１又は請求項２に記載する計測表示装置。
【請求項４】
電源をオン状態にすることにより、少なくともメニュー画面を介して前記出力条件設定画面を表示できる請求項１〜請求項３のいずれかに記載する計測表示装置。
【発明の詳細な説明】
【技術分野】
【０００１】
本発明は、バイオセンサが取り付けられて検体の基質の成分量（濃度）を計測する計測表示装置に関するものである。
【背景技術】
【０００２】
従来、種々のバイオセンサ及び計測表示装置が開発・開示されている（下記の特許文献１等）。例えば図９に示すバイオセンサ１６は、絶縁体からなる基板４０と、基板４０の上に設けられた複数の電極４２ａ、４２ｂ、４２ｃと、それらの電極４２ａ、４２ｂ、４２ｃの上に設けられた反応部４４とを備える。電極４２ａが、バイオセンサ１６の供給口５０から導入された基質の成分量を計測するための電極である。
【０００３】
バイオセンサ１６は、図１０に示すように、計測表示装置６０に取り付けられる。計測表示装置６０は、筐体１２と、筐体１２に取り付けられたディスプレイ１４を備える。バイオセンサ１６が取り付けられた計測表示装置６０は、計測手段で基質の成分量を計測し、ディスプレイ１４において基質の成分量を表示する。
【０００４】
このような計測表示装置６０において、一の計測表示装置６０に対して、検量線の異なる複数種のバイオセンサ１６を取り付けることができる場合には、バイオセンサ１６の各種類に対応するコードを設定し、検知した電流、及び設定したコードに対応する検量線データに基づいて成分量を計算して表示する。
【０００５】
例えば、特許文献２には、異なる複数の検量線テーブルを制御手段が有するバイオセンサ測定機について記載されている。特許文献３には、検量線を記憶する記憶手段と、検量線を用いて被検出物質の濃度を決定する濃度決定手段とを有するバイオセンサ装置について記載されている。特許文献４には、複数の検量線情報を記憶し、複数の検量線情報中から所望の検量線情報を選択させるための検量線情報選択用変化を検出し、検出した検量線情報選択用変化により選択された検量線情報に基づき濃度の測定誤差を補償する濃度測定器について記載されている。
【０００６】
検量線の異なる複数種のバイオセンサを取り付けることができる計測表示装置の場合、釦を誤って押す等の誤操作によって、成分量の計算のための検量線データが変更されてしまった場合には、取り付けているバイオセンサの種類に検量線データが対応せず、成分量を正確に計算することができなかった。例えば基質の成分量が血液の血糖値である場合には、誤った血糖値を計算して表示することになり、糖尿病の状態を正確に把握することができなかった。
【先行技術文献】
【特許文献】
【０００７】
【特許文献１】特開２００２−３４０８５３号公報
【特許文献２】国際公開第２００７／０３２２８６号公報
【特許文献３】国際公開第２００６／１３４９４２号公報
【特許文献４】国際公開第９９／０５５１６号公報
【発明の概要】
【発明が解決しようとする課題】
【０００８】
本発明の目的は、誤操作によってコードを変更してしまうことがなく、正確に成分量を計算して表示できる計測表示装置を提供することにある。
【課題を解決するための手段】
【０００９】
本発明の計測表示装置は、検量線の異なる複数の種類のバイオセンサを取り付けることが可能であり、該バイオセンサの供給口から導入された基質の成分量を計測してディスプレイに表示する計測表示装置であって、前記ディスプレイと、前記ディスプレイが取り付けられた筐体と、前記複数の種類のバイオセンサの各種類に対応する検量線データを記憶する検量線データ記憶媒体と、前記ディスプレイの出力条件を設定する出力条件設定画面を、該ディスプレイに表示させるとともに、該出力条件設定画面を表示する状態において、取り付けるバイオセンサの種類に対応するコードを設定するコード設定画面を、該ディスプレイに表示させる表示設定釦と、前記設定したコードを記憶するコード記憶媒体と、前記バイオセンサの電極の一端が接続される端子と、前記電極間に生じる電流を検知する検知器と、検知した電流値、及び設定したコードに対応する検量線データに基づいて前記成分量を計算する演算処理ユニットと、を備えたことを特徴とする。
【００１０】
本発明の計測表示装置は、前記計測表示装置において、前記設定釦の長押し又は複数の設定釦の同時押しにより、前記コード設定画面を表示することを特徴とする。
【００１１】
本発明の計測表示装置は、前記計測表示装置において、前記コード設定画面が、最初に表示されコードの変更に同意する同意画面と、該同意画面において同意表示部を選択することにより表示されるコード入力画面とから成ることを特徴とする。
【００１２】
本発明の計測表示装置は、前記計測表示装置において、電源をオン状態にすることにより、少なくともメニュー画面を介して前記出力条件設定画面を表示できることを特徴とする。
【発明の効果】
【００１３】
本発明の計測表示装置によれば、ディスプレイが出力条件設定画面を表示する状態において設定釦を操作することにより、ディスプレイは、コードを設定するコード設定画面を表示し、コード設定画面を表示する状態において設定釦を操作することにより、コードを設定できるように構成する等して、コード変更の困難性を高めている。このため、誤操作によってコードを変更してしまうことがなく、コードに基づく成分量の計算を正確に行って正確な成分量を表示できる。
【図面の簡単な説明】
【００１４】
【図１】本発明の計測表示装置の構成を示すブロック図である。
【図２】図１の計測表示装置が使用するデータベースの一例の構成図である。
【図３】図２のデータベースを作成する基準となる検量線のグラフである。
【図４】図１の計測表示装置の正面図であり、メニュー画面を表示した状態を示す図である。
【図５】図１の計測表示装置の正面図であり、出力条件設定画面を表示した状態を示す図である。
【図６】図１の計測表示装置の正面図であり、同意画面を表示した状態を示す図である。
【図７】図１の計測表示装置の正面図であり、コード設定画面を表示した状態を示す図である。
【図８】本発明の計測表示装置の他の実施形態を示す正面図である。
【図９】従来のバイオセンサを示す正面図である。
【図１０】従来の計測表示装置を示す正面図である。
【発明を実施するための形態】
【００１５】
本発明の計測表示装置について図面に基づいて説明する。バイオセンサの種類は任意であり、説明では従来技術で説明した図９のバイオセンサ１６を使用して説明する。
【００１６】
図１において、符号１０は本発明の計測表示装置を示す。この本発明の計測表示装置１０は、検量線の異なる複数の種類のバイオセンサ１６を取り付けることが可能であり、バイオセンサ１６の供給口５０から導入された基質の成分量を計測してディスプレイ１００に表示する計測表示装置であって、図１に示すように、ディスプレイ１００と、ディスプレイ１００が取り付けられた筐体１０２と、バイオセンサ１６の各種類に対応する図２の検量線データ１０４を記憶する検量線データ記憶媒体１０６と、ディスプレイ１００の出力条件を設定する出力条件設定画面Ｂを、ディスプレイ１００に表示させるとともに、出力条件設定画面Ｂを表示する状態において、取り付けるバイオセンサ１６の種類に対応するコードを設定するコード設定画面Ｃを、ディスプレイ１００に表示させる設定釦１０８と、設定したコードを記憶するコード記憶媒体１１０と、バイオセンサ１６の電極４２ａ、４２ｂ、４２ｃの一端が接続される端子１１２と、電極４２ａ間に生じる電流を検知する検知器１１４と、検知した電流値、及び設定したコードに対応する検量線データ１０４に基づいて成分量を計算する演算処理ユニット１１６と、を備えている。
【００１７】
すなわち、本発明の計測表示装置１０は、ディスプレイ１００が出力条件設定画面Ｂを表示する状態において設定釦１０８を操作することにより、ディスプレイ１００は、取り付けるバイオセンサ１６の種類に対応するコードを設定する図６及び図７のコード設定画面Ｃを表示し、コード設定画面Ｃを表示する状態において設定釦１０８を操作することにより、コードを設定できる。また、計測表示装置１０は、設定釦１０８の長押し又は２個の設定釦１０８の同時押しにより、コード設定画面Ｃを表示し、コード設定画面Ｃが、最初に表示され、コードの変更に同意する図６及び図７（ａ）の同意画面Ｄと、同意画面Ｄにおいて同意表示部１１７を選択することにより表示される図７（ｃ）のコード入力画面Ｅとから成る。また、計測表示装置１０は、電源をオン状態にすることにより、ディスプレイ１００が少なくともメニュー画面Ａを介して出力条件設定画面Ｂを表示できる。
【００１８】
筐体１０２は、手のひらに収まって握りやすい大きさや形状が好ましいが、限定されない。筐体１０２は樹脂で構成され、ディスプレイ１００や端子１１２を取り付けるための空間を有している。ディスプレイ１００の種類としては、液晶ディスプレイや有機ＥＬディスプレイが挙げられる。ディスプレイ１００の形状は正方形又は長方形である。
【００１９】
検量線データ記憶媒体１０６は、例えば、図２に示す検量線データ１０４（１）〜１０４（５）を検量線データベース１１８の形式で記憶する。検量線データ１０４（１）〜１０４（５）は、例えば、血糖値Ｇの数値と対応する電流値Ｉの数値、及び血糖値Ｇ（ｍｇ／ｄＬ）をＩ（μＡ）で表す数式から成る。コード記憶媒体１１０は、設定されている検量線のコードが記憶されている。検量線データ１０４は、図３に示す５本の検量線Ｌ１〜Ｌ５に基づいて定められる。
【００２０】
検知器１１４は、電極４２ａ間に流れた電流から血液の血糖値を計測するために、電極４２ａに所定電圧を印加し、電極４２ａ間に流れた電流を検知するものである。反応部４４と血液が反応している時、電極４２ａ間に所定の電圧を印加することによって反応部４４を介して電流が流れる。この電流は血液の血糖値に応じて異なるため、電流から血糖値を求めることができる。
【００２１】
演算処理ユニット１１６は、コード記憶媒体１１０に記憶されているコードから対応する検量線データ１０４を検索し、検索した検量線データ１０４、及び検知器１１４が検知した電流値に基づいて、血糖値を計算する。例えば、コードがコード５であり、電流値が１．５μＡである場合には、図２に示す「Ｇ＝５９＊Ｉ−７」なる数式からＧ＝５９＊１．５−７＝８１．５と計算し、ディスプレイ１００に、計測した日付及び時間とともに、「８１．５ｍｇ／ｄＬ」とリアルタイムに表示させる。なお、血糖値の計算は、血糖値Ｇの数値と対応する電流値Ｉの数値から、比例配分して計算してもよい。
【００２２】
このような構成の本発明に係る計測表示装置１０において、コードを変更する作用の一例について以下に説明する。
【００２３】
まず、計測表示装置１０の電源がオン状態にされる。電源がオン状態にされることにより、ディスプレイ１００は、初期画面を介して、又は介さないで、図４に示すメニュー画面Ａを表示する。メニュー画面Ａには、過去の計測データの表示等を行う画面へ進むための記録アイコン１２０、出力条件設定画面Ｂへ進むための設定アイコン１２２等が表示される。
【００２４】
コードを変更するためには、このメニュー画面Ａにおいて、設定アイコン１２２をクリックする。設定アイコン１２２をクリックすることにより、図５に示す出力条件設定画面Ｂが表示される。出力条件設定画面Ｂは、表示する文字サイズ若しくは表示色、又はブザー音の音量等、計測表示装置１０の一般的な出力条件を設定する画面である。コードを変更するためには、この出力条件設定画面Ｂにおいて、設定釦１０８の長押し又は２個の設定釦１０８の同時押しを行う。
【００２５】
設定釦１０８の長押し又は２個の設定釦１０８の同時押しを行うことにより、図６及び図７（ａ）に示す同意画面Ｄが表示される。この同意画面Ｄは、コード設定画面Ｃの中の最初の画面である。なお、同意画面Ｄを表示させる操作は、設定釦１０８の長押し又は２個の設定釦１０８の同時押しのいずれでもよいが、いずれか一方のみに限定してもよい。同意画面Ｄは、図７（ａ）に示すように、「いいえ」を選択した状態が最初に表示される。コードを変更する場合、図７（ｂ）に示すように、同意表示部１１７の「はい」を選択し、図７（ｃ）に示すコード入力画面Ｅを表示させる。例えば、コード番号として「コード５」を入力する場合、「▲上へ」又は「▼下へ」のアイコンを操作して「０５」を選択する。
【００２６】
コード番号として「０５」を選択すると、コード記憶媒体１１０に記憶されているコードが「０５」に書き換えられ記憶される。コードが書き換えられ記憶されると、図５に示す出力条件設定画面Ｂが再び表示される。コードが「０５」に書き換えられ記憶されることにより、以降の血糖値の計測においては、表示装置データ演算処理ユニット１１６は、コード記憶媒体１１０に記憶されているコード５から対応する検量線データ１０４（５）を検索し、検索した検量線データ１０４（５）、及び検知器１１４が検知した電流値に基づいて、血糖値を計算する。
【００２７】
このような計測表示装置１０によれば、電源をオン状態にした後、メニュー画面Ａを介して出力条件設定画面Ｂを表示させ、出力条件設定画面Ｂにおいて、設定釦１０８の長押し又は２個の設定釦１０８の同時押しを行って同意画面Ｄを表示させ、同意を選択してコード入力画面Ｅを表示させて初めて、コードを入力してコードを変更できる。すなわち、血糖値の計算の基準となるコードの変更が困難である。このため、誤操作によってコードを変更してしまうことがなく、正確に成分量を計算して表示できる。
【００２８】
以上、本発明の実施形態について説明したが、本願発明は上述のものに限定されない。例えば、図８に示すように、コードの決定専用の決定釦１３０を設けておき、決定釦１３０をドライバー１３２等の工具によってのみ押すことができるように構成してもよい。この場合、コード入力画面Ｅを表示させた状態でコードを選択した後に、決定１３０をドライバー１３２等の工具で押すことにより初めてコードが変更されて記憶される。このため、コード変更の困難性をより高めることができる。
【００２９】
以上、本発明の実施形態について図面に基づいて説明したが、本願発明は図示したものに限定されない。例えば、本発明において、コード入力画面Ｅから入力できるコードの数は特に限定されない。また、コード入力画面Ｅを表示させるための条件として、パスワード又は暗号の入力を条件とし、コード変更の困難性をより高めてもよい。また、オン状態とすることにより必ず初期画面を表示し、初期画面において現在設定されているコードを表示して使用者に確認させ、使用者が設定釦１０８による確認操作をすることにより初めて初期画面の次の画面を表示できるように構成してもよい。この確認操作は、設定釦１０８の長押し又は２個の設定釦１０８の同時押しであってもよい。
【００３０】
その他、本発明は、その主旨を逸脱しない範囲で当業者の知識に基づき種々の改良、修正、変更を加えた態様で実施できるものである。
【産業上の利用可能性】
【００３１】
本発明の計測表示装置によれば、コード変更の困難性を高めているため、誤操作によってコードを変更してしまうことがなく、コードに基づく成分量の計算を正確に行って正確な成分量を表示できる。このため、血糖値等をバイオセンサによって計測する計測表示装置として広く利用できる。
【符号の説明】
【００３２】
１０：計測表示装置
１６：バイオセンサ
４２ａ、４２ｂ、４２ｃ：電極
４４：反応部
５０：供給口
１００：ディスプレイ
１０２：筐体
１０４：検量線データ
１０６：検量線データ記憶媒体
１０８：設定釦
１１０：コード記憶媒体
１１２：端子
１１４：検知器
１１６：スペーサー
１１７：同意表示部
１１８：検量線データベース
Ａ：メニュー画面
Ｂ：出力条件設定画面
Ｃ：コード設定画面
Ｄ：同意画面
Ｅ：コード入力画面
【図１】
2012185059.tif 000003
【図２】
2012185059.tif 000004
【図３】
2012185059.tif 000005
【図４】
2012185059.tif 000006
【図５】
2012185059.tif 000007
【図６】
2012185059.tif 000008
【図７】
2012185059.tif 000009
【図８】
2012185059.tif 000010
【図９】
2012185059.tif 000011
【図１０】
2012185059.tif 000012